(57)【特許請求の範囲】
【請求項１】
上端に開口を有する雨水浸透ますであって、
前記開口に取り付けられ、かつ前記開口の一方側縁側に主流入口が形成される蓋、
通水孔を有し、かつ前記通水孔に向かって下がる勾配が付けられたプレート、および
前記プレートの下方に設けられるごみ除去フィルタを備え、
前記主流入口の鉛直下方向に前記プレートの傾斜面を位置させ、前記ごみ除去フィルタは、前記主流入口から流入し、かつ前記傾斜面および前記通水孔を経た雨水を受ける、雨水浸透ます。
【請求項２】
前記蓋は、前記上端開口の一方側縁側に向かって下がるように傾けられ、その一方側縁側に前記主流入口が形成される、請求項１記載の雨水浸透ます。
【請求項３】
上端に開口を有する雨水浸透ますであって、
前記開口に取り付けられ、かつ前記開口の一方側縁側に主流入口を有する蓋、
通水孔を有し、かつ前記通水孔に向かって下がる勾配が付けられたプレート、および
前記プレートの下方に設けられるごみ除去フィルタを備え、
前記ごみ除去フィルタは外側フィルタおよび前記外側フィルタの中に重ねられた少なくとも１つの内側フィルタを含み、
前記主流入口側に前記内側フィルタの上端開口を偏らせた、雨水浸透ます。
【発明の詳細な説明】
【技術分野】
【０００１】
この発明は、雨水浸透ますに関し、特にたとえば、雨水を地中に浸透させるだけでなく、雨水から落ち葉や土砂などごみを除去する機能も備える、雨水浸透ますに関する。
【背景技術】
【０００２】
従来の雨水浸透ますの一例が、非特許文献１に開示されている。この非特許文献１の浸透ますは泥溜めますに連通される。泥溜めますの中に平板のマスプレートが設けられ、マスプレートにかごが取り付けられて、かごの中にゴミ取りバケツが重ねられている。ごみを含んだ雨水はまず泥溜めますの中に入り、マスプレートの中心に形成された孔を通って、ゴミ取りバケツおよびかごを通過する。ごみは主にゴミ取りバケツにより捕らえられて、ごみが取り除かれた雨水は浸透ますへ流入する。このため、ゴミ取りバケツにごみが詰まると浸透ますの浸透能力が低下してしまうため、定期的または大雨の後などにゴミ取りバケツの掃除や点検などをする必要がある。
【非特許文献１】財団法人  下水道新技術推進機構「下水道雨水浸透技術マニュアル―２００１年６月―」第４節「浸透ます等」の構造、図４−７目づまり防止対策（泥溜めます併設例）（７９）
【発明の開示】
【発明が解決しようとする課題】
【０００３】
非特許文献１の従来技術では、雨量が少ないと、雨水の水力が弱いため、雨水に含まれたごみがマスプレートの上面上に溜まってしまう。このため、泥溜めますの維持管理に際してゴミ取りバケツだけでなく、マスプレート上に溜まったごみも除去する必要があり、その手間および時間が嵩む。
【０００４】
また、マスプレート上に滞留したごみは雨水がゴミ取りバケツ内に流入することを妨げるため、ゴミ取りバケツのゴミ除去機能を低下させるとともに、浸透ますの浸透能力も低下させてしまう。
【０００５】
それゆえに、この発明の主たる目的は、浸透能力の維持および維持管理の省力化を図る、雨水浸透ますを提供することである。
【課題を解決するための手段】
【０００６】
請求項１の発明は、通水孔を有し、かつ通水孔に向かって下がる勾配が付けられたプレート、およびプレートの下方に設けられるごみ除去フィルタを備える、雨水浸透ますである。
【０００７】
請求項１の発明は、上端に開口を有する雨水浸透ますであって、開口に取り付けられ、かつ開口の一方側縁側に主流入口が形成される蓋、通水孔を有し、かつ通水孔に向かって下がる勾配が付けられたプレート、およびプレートの下方に設けられるごみ除去フィルタを備え、主流入口の鉛直下方向にプレートの傾斜面を位置させ、ごみ除去フィルタは、主流入口から流入し、かつ傾斜面および通水孔を通過した雨水を受ける、雨水浸透ますである。
【０００８】
ごみを含む雨水は、下り勾配のプレート上を流下して、通水孔へ向かい通水孔を通過して、ごみ除去フィルタへ流入する。雨水内のごみがごみ除去フィルタで除去されながら、雨水はごみ除去フィルタを通過して、雨水浸透ますの底などから地中へ浸透する。
【０００９】
このように、プレートに下り勾配を付けることにより、ごみは雨水の流力と自重によりプレートの傾斜面を滑り落ちることで、少量の雨水でもごみは通水孔へ運ばれてプレート上に滞留することがなく、ごみ除去フィルタに集められる。よって、雨水プレートを維持管理する際にプレート上のごみを処理する必要がない。また、プレート上のごみにより雨水の流入が妨げられることがなく、雨水の通水孔へ向かう流れが確保されるため、雨水浸透ますの雨水の集水力は低下しない。
【００１０】
請求項２の発明は、蓋が、上端開口の一方側縁側に向かって下がるように傾けられ、その一方側縁側に主流入口が形成される、請求項１記載の雨水浸透ますである。
請求項３の発明は、上端に開口を有する雨水浸透ますであって、開口に取り付けられ、かつ開口の一方側縁側に主流入口を有する蓋、通水孔を有し、かつ通水孔に向かって下がる勾配が付けられたプレート、およびプレートの下方に設けられるごみ除去フィルタを備え、ごみ除去フィルタは外側フィルタおよび外側フィルタの中に重ねられた少なくとも１つの内側フィルタを含み、主流入口側に内側フィルタの上端開口を偏らせた、雨水浸透ますである。
【００１１】
請求項２の発明では、雨水浸透ますの上端開口に主流入口を有する蓋が取り付けられ、上端開口の一方側縁側に主流入口が配置される。プレートは雨水浸透ますの中に取り付けられ、その下方にごみ除去フィルタが設けられる。そのごみ除去フィルタの外側フィルタの中に少なくとも１つの内側フィルタが重ねられ、内側フィルタの上端開口は主流入口側に偏らせられる。
【００１２】
このように、内側フィルタの上端開口を偏らせると、主流入口から流入した雨水は、主に内側フィルタに流入するため、内側フィルタと外側フィルタとの間の隙間を通って、外側フィルタに直接流入することはほとんどない。よって、雨水内のごみは内側フィルタに主に集められるため、雨水浸透ますを維持管理する際に外側フィルタのごみを処理する必要が少なく、処理時間および手間がかからないなど、雨水浸透ますの維持管理において合理性かつ利便性の向上が図られる。
【発明の効果】
【００１３】
この発明によれば、プレートに通水孔に向かう下り勾配を付けることにより、雨水浸透ますの浸透力の維持および維持管理の省力化が図られる。
【００１４】
この発明の上述の目的，その他の目的，特徴および利点は、図面を参照して行う以下の実施例の詳細な説明から一層明らかとなろう。
【発明を実施するための最良の形態】
【００１５】
図１に示すこの発明の一実施例である雨水浸透ます１０は地中に埋設され、雨水浸透ます１０の上端は地表に開口し、この上端開口１２に蓋１４が取り付けられる。雨水浸透ます１０の底面に浸透孔１６が設けられ、側面に接続管１８が接続される。雨水浸透ます１０の中にプレート２０が取り付けられ、プレート２０の下方にごみ除去フィルタが配置される。このごみ除去フィルタは外側フィルタ２２および外側フィルタ２２の中に重ねられた少なくとも１つ、この実施例では１つの内側フィルタ２４を含む。
【００１６】
蓋１４にはグレーチングによる多数の流入口２６および流入口２６より大きな主流入口２８が設けられ、主流入口２８は蓋１４の一方側端側に形成される。蓋１４は、上端開口１２の一方側縁１２ａ側に向かって下がるように傾けられ、その一方側縁１２ａ側に主流入口２８が配置される。
【００１７】
図２（Ａ）に示すプレート２０は矩形状に形成され、図３に示すように、その大きさは蓋１４の主流入口２８および流入口２６が形成されている範囲より大きい。図２（Ａ）に示すように、プレート２０の中心に矩形状の通水孔３０が形成され、図２（Ｂ）および図２（Ｃ）に示すように、プレート２０には通水孔３０に向かって下がる勾配が付けられている。このため、通水孔３０は下り勾配の平らな傾斜面３２で囲まれ、プレート２０は漏斗状に形成される。傾斜面３２に貫通孔３４が設けられ、貫通孔３４は外側フィルタ２２の取り付けに用いられる。プレート２０の短辺の両端にそれぞれ係止部３６が形成され、図１に示すように係止部３６を雨水浸透ます１０の側面に設けられた段部３８などに引っ掛けることにより、プレート２０は雨水浸透ます１０に取り付けられる。
【００１８】
外側フィルタ２２は上面を開口した立体形状の容器である円柱もしくは直方体の形状であり、好ましくは直方体状の容器である。その側面および底面に多数の小さな細孔４０が形成される。外側フィルタ２２の上端開口の大きさは通水孔３０の大きさと同じ、またはそれより大きい。外側フィルタ２２の上部に取付部４２が形成され、取付部４２は外側フィルタ２２の上端から拡径するように延びて、プレート２０の下面に沿うように形成される。取付部４２に貫通孔４４が形成される。外側フィルタ２２のほぼ中心にプレート２０の通水孔３０が位置するように、ボルト４６を貫通孔４４および貫通孔３４に通して、ナット４８で固定することにより、外側フィルタ２２はプレート２０に取り付けられる。
【００１９】
内側フィルタ２４は上面を開口した立体形状の容器である円柱もしくは直方体の形状であり、好ましくは直方体状の容器である。その大きさは外側フィルタ２２の大きさより小さく、かつ内側フィルタ２４を搬出入しやすいようにその大きさは通水孔３０の大きさよりも小さい。内側フィルタ２４の側面および底面に多数の小さな細孔５０が形成され、細孔５０の大きさは細孔４０の大きさに比べて大きい。
【００２０】
また、内側フィルタ２４の上端にコ字型の把手５２が取り付けられる。内側フィルタ２４の高さと把手５２の高さとを合わせた高さは外側フィルタ２２の高さより高いため、内側フィルタ２４を外側フィルタ２２の中に重ねると、把手５２は外側フィルタ２２の上端開口およびプレート２０の通水孔３０から突出する。
【００２１】
雨が降ると、雨水は落ち葉やごみなど固形物を含みながら、蓋１４の主流入口２８および流入口２６から雨水浸透ます１０の中へ流入する。そして、固形物を含む雨水は、プレート２０の傾斜面３２上を流下し、通水孔３０へ向かう。このとき、プレート２０の下り勾配により固形物は雨水の流力および自重で傾斜面３２上を滑り落ち易いため、少量の雨水でも固定物は通水孔３０へ運ばれ、プレート２０上に溜まりにくい。
【００２２】
通水孔３０を通過した雨水は、内側フィルタ２４に流入し、内側フィルタ２４で大きな固形物が除去される。そして、小さな固形物および雨水は内側フィルタ２４の細孔５０を通過して、外側フィルタ２２に流入する。続いて、雨水は、外側フィルタ２２で小さな固形物が除去されて、細孔４０を通過する。それから、雨水は雨水浸透ます１０の底に溜まり、その一部は底面の浸透孔１６から地中に浸透し、オバーフローする雨水は接続管１８を通って、下水管へ流入される。
【００２３】
雨水浸透ます１０を維持管理する際、蓋１４を開け、把手５２を取って、雨水浸透ます１０から内側フィルタ２４を取り出す。このとき、外側フィルタ２２の中の様子を見て、固形物があまり入っていないようなら、内側フィルタ２４内の固形物だけを取り除いて、内側フィルタ２４を元に戻す。一方、外側フィルタ２２の中にも固形物が溜まっているようなら、内側フィルタ２４内の固形物だけでなく、プレート２０を引き上げることにより外側フィルタ２２を取り出して、外側フィルタ２２内の固形物も取り除く。そして、取り除いたら、外側フィルタ２２、内側フィルタ２４の順番で雨水浸透ます１０に戻す。
【００２４】
このように、プレート２０に通水孔３０へ向かう下り勾配を付けて、プレート２０を漏斗状に形成することにより、固形物がプレート２０上に溜まりにくい。このため、雨水浸透ます１０を維持管理する際にプレート２０上の固形物を除去する必要がなく、これを除去する時間および手間が省ける。
【００２５】
また、固形物がプレート２０上に滞留しなければ、この固形物に雨水の流れが阻害されることもないため、雨水はスムーズにプレート２０上を流下して、内側フィルタ２４へ導かれる。よって、雨水が内側フィルタ２４に入らず、道路などを冠水させる危険性は少なくなる。また、雨水の内側フィルタ２４へ向かう流れが確保されるため、雨水浸透ます１０の雨水の集水力は低下しない。さらに、雨水に含まれる固形物は主に内側フィルタ２４に溜められることにより、内側フィルタ２４のごみ除去機能は維持される。
【００２６】
なお、図２（Ｂ）および図２（Ｃ）に示すようにプレート２０の傾斜面３２を平らにしたが、図４に示すようにプレート２０の傾斜面５４を曲面にして、プレート２０をおわん形状に形成することもできる。
【００２７】
また、図１で示すようにプレート２０を雨水浸透ます１０の段部３８などに引っ掛けて、外側フィルタ２２をプレート２０に取り付けた。これに対して、図５に示すように平坦なプレート５６を雨水浸透ます１０の段部３８などに引っ掛けて、外側フィルタ２２を平坦なプレート５６に取り付けて、平坦なプレート５６の上に漏斗状のプレート５８を載せることもできる。この平坦なプレート５６は従来一般的に用いられているマスプレートと同様で、その中心に通水孔５７を有する。漏斗状のプレート５８は、図６（Ａ）〜図６（Ｃ）に示すように、図２（Ａ）に示すプレート２０と同様であるが、図６（Ｂ）に示すようにプレート５８の短辺の両端に係止部３６が形成されていない点が異なる。この場合、漏斗状のプレート５８を既設のマスプレートに取り付けることにより、簡単に雨水浸透ます１０の維持管理の省力化などが図られる。
【００２８】
さらに、細孔５０の大きさは細孔４０の大きさに比べて大きくしたが、細孔４０の大きさと細孔５０の大きさを同じにすることもできる。
【００２９】
そして、この細孔４０および５０の大きさをフィルタ２２および２４における位置により変化させずに均一にした。これに対して、図７（Ａ）および図７（Ｂ）に示すように、細孔４０および５０の大きさをフィルタ２２および２４の上から下へ向かって小さくし、かつ最も上に位置する細孔５０の大きさを最も下に位置する細孔４０の大きさよりも小さく形成することもできる。これにより、全ての細孔５０の大きさはどの細孔４０の大きさより小さくなるため、内側フィルタ２４で捕獲することができずに細孔５０を通過したごみを外側フィルタ２２で捕獲し除去することができる。また、細孔４０、５０の大きさをフィルタ２２、２４の上に向かうほど大きくすることにより、フィルタ２２、２４内にごみが堆積するに伴い、細孔４０、５０の大きさが大きくなりフィルタ２２、２４の捕獲力が弱まり、フィルタ２２、２４における水路が確保される。
【００３０】
図８に示すこの発明の他の実施例である雨水浸透ます１０は、図１に示す雨水浸透ます１０とほぼ同じであるが、プレート２０の形状および内側フィルタ２４の配置方法が異なる。これ以外の部分に関しては図１実施例の示す雨水浸透ます１０と同様であるため、説明は省略する。
【００３１】
図８および図９（Ａ）〜図９（Ｃ）に示すプレート６０は矩形状に形成され、その大きさは蓋１４の主流入口２８および流入口２６が形成されている範囲より大きい。プレート６０の中心よりずれた位置、つまり、プレート６０の短辺の一方端側（図９（Ａ）の上側）に矩形状の通水孔３０が形成される。プレート６０には通水孔３０に向かって下がる勾配が付けられ、図９（Ｂ）に示すように、短辺の一方端側の面６２は急傾斜に形成され、他方端側の面６４は緩やかな傾斜に形成される。そして、この急傾斜面６２が主流入口２８側になるようにして、係止部３６は雨水浸透ます１０の段部３８などに引っ掛けられる。これにより、通水孔３０は主流入口２８側に配置される。
【００３２】
内側フィルタ２４は図１に示す内側フィルタ２４と同様であるが、図１０に示すように、内側フィルタ２４の底面に２つの脚部６６が取り付けられている点が異なる。２つの脚部６６はそれぞれ底面の隣り合う２つの角に取り付けられる。このため、図８に示すように、内側フィルタ２４は傾く。そして、脚部６６の付いた側を主流入口２８側と反対側に配置することにより、内側フィルタ２４の上端開口２４ａが主流入口２８に向かって傾き、内側フィルタ２４の上端開口２４ａは主流入口２８側に偏らせられる。
【００３３】
雨が降ると、雨水は流入口２６および主流入口２８から雨水浸透ます１０内に流入し、大きな固形物を含む雨水は主に主流入口２８から流入する。そして、固形物は急傾斜面６２を滑り落ち、主流入口２８側に配置される通水孔３０を通過して、主流入口２８側に向かって開口する内側フィルタ２４へ入る。このため、固形物を含む雨水は、内側フィルタ２４と外側フィルタ２２との間の隙間を通って、外側フィルタ２２に直接流入することはほとんどない。そして、雨水は、内側フィルタ２４で大きな固形物が除去され、外側フィルタ２０に流入して、外側フィルタ２０で小さな固形物が除去されてから、浸透孔１６などから地中に浸透する。
【００３４】
このように、通水孔３０の位置をプレート６０の中心より偏らせることにより、急傾斜面６２が形成されるため、主流入口２８から流入した固形物は急傾斜面６２に容易にプレート６０上を滑り落ちて、プレート６０上に付着しにくい。このため、雨水浸透ます１０を維持管理する際にプレート６０上の固形物を処理する必要が少なく、処理手間や時間などがかからない。
【００３５】
また、内側フィルタ２４に脚部６６を設けると、内側フィルタ２４の開口を主流入口２８側に簡単かつ確実に偏らせることができるため、固形物を内側フィルタ２４にスムーズに入れることができる。これにより、雨水浸透ます１０の維持管理において外側フィルタ２２の固形物を処理する必要が少なく、省力化が図られる。
【００３６】
なお、図８の雨水浸透ます１０では漏斗状のプレート６０を用いたが、図１１に示すように平坦なプレート５６を用いることもできる。この平坦なプレート５６は、図５と同様に、従来一般的に用いられているマスプレートであって、その中心に通水孔５７を有する。
【００３７】
また、図１０に示す脚部６６を内側フィルタ２４の底面に取り付けたが、脚部６６を外側フィルタ２２の内面に取り付けることもできる。
【００３８】
この脚部６６を２つ内側フィルタ２４の底面に取り付けたが、１つの横長の長尺物を脚部として内側フィルタ２４の底面に取り付けることもできる。
【００３９】
さらに、脚部６６を内側フィルタ２４の底面に取り付けたが、脚部６６を内側フィルタ２４の底面に取り付けずに、内側フィルタ２４を主流入口２８側に寄せてもよい。
【図面の簡単な説明】
【００４０】
【図１】この発明の一実施例の雨水浸透ますを示す断面図である。
【図２】（Ａ）は図１の雨水浸透ますに用いられるプレートを示す平面図であり、（Ｂ）は（Ａ）のプレートの縦断面図であり、（Ｃ）は（Ａ）のプレートの横断面図である。
【図３】図１の雨水浸透ますの上面を示す平面図である。
【図４】この発明の別の実施例の雨水浸透ますに用いられるプレートを示す断面図である。
【図５】この発明のさらに別の実施例の雨水浸透ますを示す部分断面図である。
【図６】（Ａ）は図５の雨水浸透ますに用いられるプレートを示す平面図であり、（Ｂ）は（Ａ）のプレートの縦断面図であり、（Ｃ）は（Ａ）のプレートの横断面図である。
【図７】（Ａ）はこの発明のさらに別の実施例の雨水浸透ますに用いられる外側フィルタを示す平面図であり、（Ｂ）は（Ａ）の外側フィルタの中に重ねられる内側フィルタを示す平面図である。
【図８】この発明のさらに別の実施例の雨水浸透ますを示す断面図である。
【図９】（Ａ）は図８の雨水浸透ますに用いられるプレートを示す平面図であり、（Ｂ）は（Ａ）のプレートの縦断面図であり、（Ｃ）は（Ａ）のプレートの横断面図である。
【図１０】図８の雨水浸透ますに用いられる内側フィルタを示す斜視図である。
【図１１】この発明のさらに別の実施例の雨水浸透ますを示す断面図である。
【符号の説明】
【００４１】
１０…雨水浸透ます
１２…雨水浸透ますの上端開口
１４…蓋
２０、５８、６０…プレート
２２…外側フィルタ
２４…内側フィルタ
２４ａ…内側フィルタの上端開口
２８…主流入口
３０…通水孔
【図１】
0004508986.tif 000002
【図２】
0004508986.tif 000003
【図３】
0004508986.tif 000004
【図４】
0004508986.tif 000005
【図５】
0004508986.tif 000006
【図６】
0004508986.tif 000007
【図７】
0004508986.tif 000008
【図８】
0004508986.tif 000009
【図９】
0004508986.tif 000010
【図１０】
0004508986.tif 000011
【図１１】
0004508986.tif 000012